(57)【特許請求の範囲】
【請求項１】
断面コの字状の凹部を有する第１部材に、貫通した取り付け孔を有する第２部材を取り付ける方法であって、
ネジと、ワッシャーと、ナットとを用い、
前記第２部材の少なくとも一部が、前記凹部に嵌り込み、
前記ワッシャーは、前記第２部材の下方で、かつ、前記凹部に嵌り込む平面多角形であって、貫通した長孔を有し、前記ナットと相対向する対向面は、前記ワッシャーの一側部から他側部に向かって厚みが厚くなるように、かつ、前記長孔の長手方向に沿って傾斜し、
前記ナットは、前記ワッシャーの下方で、かつ、前記凹部に嵌り込む平面多角形であって、前記ネジが螺合するネジ孔を有し、前記ワッシャーと相対向する対向面は、前記ナットの一側部から他側部に向かって厚みが薄くなるように、かつ、前記ワッシャーの傾斜方向に沿って傾斜し、
（１）前記第２部材の少なくとも一部と前記ワッシャーと前記ナットとが前記凹部に嵌め込まれ、（２）前記ネジが、前記第２部材の前記取り付け孔と前記ワッシャーの長孔とを貫通した後、前記ナットのネジ孔に螺合することにより、前記ワッシャーと前記ナットとを締め付け、（３）前記締め付けた状態において、前記ナットの前記一側部が前記凹部における一方の内壁を押圧し、前記ワッシャーの前記他側部が前記凹部における前記一方の内壁と相対向する他方の内壁を押圧することにより、（４）前記第１部材に前記第２部材が取り付けられる、
取り付け方法。
【請求項２】
前記ワッシャーと前記ナットの平面形状が、正方形、又は、長方形である、
請求項１に記載の取り付け方法。
【請求項３】
前記凹部が溝であって、前記溝の縦断面がコの字状である、
請求項１又は２に記載の取り付け方法。
【請求項４】
前記第２部材の前記取り付け孔が長孔であって、前記取り付け孔の長手方向が、前記ワッシャーの前記長孔の長手方向と同じ方向である、
請求項１乃至３のいずれか一項に記載の取り付け方法。
【請求項５】
前記第１部材が、検査定盤である、
請求項１乃至４のいずれか一項に記載の取り付け方法。
【発明の詳細な説明】
【技術分野】
【０００１】
本発明は、２つの部材を取り付けるための取り付け構造及びそれに用いられる取り付け部材に関するものである。
【背景技術】
【０００２】
本発明は、２つの部材を取り付けるための取り付け方法に関するものである。
【先行技術文献】
【特許文献】
【０００３】
【特許文献１】特開平１０−１２８４９９号公報
【発明の概要】
【発明が解決しようとする課題】
【０００４】
上記のような検査定盤においては、溝が逆Ｔ字状であるため、この溝にボルトを固定できる。
【０００５】
しかし、断面コの字状の溝が設けられている検査定盤の場合には、ボルトを断面コの字状の溝に固定できないため、対象物の固定ができないという問題点があった。
【０００６】
そこで、本発明は上記問題点に鑑み、断面コの字状の凹部を有する第１部材と、取り付け孔を有する第２部材とを取り付けることができる取り付け方法を提供することを目的とする。
【課題を解決するための手段】
【０００７】
本発明の実施形態は、断面コの字状の凹部を有する第１部材に、貫通した取り付け孔を有する第２部材を取り付ける方法であって、ネジと、ワッシャーと、ナットとを用い、前記第２部材の少なくとも一部が、前記凹部に嵌り込み、前記ワッシャーは、前記第２部材の下方で、かつ、前記凹部に嵌り込む平面多角形であって、貫通した長孔を有し、前記ナットと相対向する対向面は、前記ワッシャーの一側部から他側部に向かって厚みが厚くなるように、かつ、前記長孔の長手方向に沿って傾斜し、前記ナットは、前記ワッシャーの下方で、かつ、前記凹部に嵌り込む平面多角形であって、前記ネジが螺合するネジ孔を有し、前記ワッシャーと相対向する対向面は、前記ナットの一側部から他側部に向かって厚みが薄くなるように、かつ、前記ワッシャーの傾斜方向に沿って傾斜し、（１）前記第２部材の少なくとも一部と前記ワッシャーと前記ナットとが前記凹部に嵌め込まれ、（２）前記ネジが、前記第２部材の前記取り付け孔と前記ワッシャーの長孔とを貫通した後、前記ナットのネジ孔に螺合することにより、前記ワッシャーと前記ナットとを締め付け、（３）前記締め付けた状態において、前記ナットの前記一側部が前記凹部における一方の内壁を押圧し、前記ワッシャーの前記他側部が前記凹部における前記一方の内壁と相対向する他方の内壁を押圧することにより、（４）前記第１部材に前記第２部材が取り付けられる、取り付け方法である。
【発明の効果】
【０００８】
本発明によれば、ネジによってワッシャーとナットを締め付けることにより、第１部材に第２部材を取り付けることができる。
【図面の簡単な説明】
【０００９】
【図１】本発明の一実施形態を示す取り付け構造を示す斜視図である。
【図２】ボルトを締め付ける前の縦断面図である。
【図３】ボルトを締め付けた後の縦断面図である。
【図４】モータ支持台を載せた状態の検査定盤の平面図である。
【発明を実施するための形態】
【００１０】
以下、本発明の一実施形態の取り付け方法について図１〜図３に基づいて説明する。
【００１１】
本発明の実施形態は、断面コの字状の凹部を有する第１部材に、貫通した取り付け孔を有する第２部材を取り付ける構造であって、ネジと、ワッシャーと、ナットとを有し、前記第２部材の少なくとも一部が、前記凹部に嵌り込み、前記ワッシャーは、前記第２部材の下方で、かつ、前記凹部に嵌り込む平面多角形であって、貫通した長孔を有し、前記ナットと相対向する対向面は、前記ワッシャーの一側部から他側部に向かって厚みが厚くなるように、かつ、前記長孔の長手方向に沿って傾斜し、前記ナットは、前記ワッシャーの下方で、かつ、前記凹部に嵌り込む平面多角形であって、前記ネジが螺合するネジ孔を有し、前記ワッシャーと相対向する対向面は、前記ナットの一側部から他側部に向かって厚みが薄くなるように、かつ、前記ワッシャーの傾斜方向に沿って傾斜し、（１）前記第２部材の少なくとも一部と前記ワッシャーと前記ナットとが前記凹部に嵌め込まれ、（２）前記ネジが、前記第２部材の前記取り付け孔と前記ワッシャーの長孔とを貫通した後、前記ナットのネジ孔に螺合することにより、前記ワッシャーと前記ナットとを締め付け、（３）前記締め付けた状態において、前記ナットの前記一側部が前記凹部における一方の内壁を押圧し、前記ワッシャーの前記他側部が前記凹部における前記一方の内壁と相対向する他方の内壁を押圧することにより、（４）前記第１部材に前記第２部材が取り付けられる、取り付け構造である。
【００１２】
検査定盤１０は、図３の平面図に示すように、縦の寸法が７０ｃｍ、横の寸法が３ｍの長方形状の水平な金属板であって、横方向に断面コの字状の溝１４が設けられている。モータ支持台１２は、図３に示すように、左右一対の脚部１６，１６が底部に設けられている。この脚部１６は、直方体状であって、溝１４にその下部のみが嵌め込まれる。
【００１３】
（２）取り付け部材
次に、この取り付け構造において用いられる取り付け部材について図１に基づいて説明する。取り付け部材は、ボルト２０、ワッシャー２２、ナット２４とより構成されている。
【００１４】
ボルト２０は、六角孔付きボルトであり、溝１４の深さより短い。
【００１５】
ワッシャー２２は、平面形状が正方形であって、下面が傾斜した縦長の直方体であって、長孔２６が縦方向に貫通している。長孔２６の長軸方向は、左右方向に設けられている。ワッシャー２２の上面は水平面であり、下面は上記したように右側部から左側部に向かって傾斜した傾斜面であり、その高さが右側部から左側部に向かうほど厚くなっている。この傾斜角度は、２０°である。ワッシャー２２の左右方向の寸法Ｌ１は、溝１４の幅Ｌ０より小さく形成されている。
【００１６】
ナット２４は、平面形状が正方形であって、上面が傾斜した縦長の直方体であって、その中心にネジ孔２８が縦方向に貫通している。ナット２４の上面（ワッシャー２２の下面と相対向する面）は、上記したように傾斜した傾斜面であり、その高さが右側部から左側部に向かうほど薄くなっている。すなわち、ワッシャー２２の下面の傾斜面に沿ってナット２４の上面が傾斜している。また、ナット２４の下面は、水平面である。ナット２４の左右方向の寸法は、ワッシャー２２の左右方向の寸法Ｌ１と同じ幅を有している。
【００１７】
モータ支持台１２の脚部１６は、溝１４に沿って嵌め込み可能な横長の直方体であり、その先端には取り付け孔１８が縦方向に貫通している。この取り付け孔１８は長孔であって、長軸方向はワッシャー２２の長孔２６の長軸方向と一致している。
【００１８】
（３）取り付け方法
次に、モータ支持台１２を、検査定盤１０の溝１４に取り付ける方法について説明する。
【００１９】
まず、検査定盤１０上に、モータ支持台１２を載置する。
【００２０】
次に、図２に示すように、ナット２４、ワッシャー２２、モータ支持台１２の脚部１６の順番で溝１４に嵌め込み、ボルト２０の下端部をナット２４のネジ孔２８に螺合させる。この場合に、脚部１６の幅は溝１４の幅Ｌ０より若干小さく形成されているため、ナット２４、ワッシャー２２及び脚部１６が溝１４内部に嵌め込まれる。また、溝１４の幅方向に沿ってワッシャー２２の長孔２６の長軸側を嵌め込む。すなわち、ワッシャー２２の下面の傾斜方向及びナット２４の上面の傾斜方向が、溝１４の幅方向と一致させる（図２の参照）。この状態では、ワッシャー２２及びナット２４は、溝１４内部で若干の隙間が両側部にあるため、脚部１６は溝１４に対し移動自在である。
【００２１】
次に、図３に示すように、ワッシャー２２の傾斜した下面とナット２４の傾斜した上面とが当接しているため、ボルト２０を締め付けると、ナット２４の右側部が溝１４の右内壁を押圧し（図３中の矢印Ａ１で示す）、ワッシャー２２が溝１４の左内壁を押圧する（図３中の矢印Ａ２で示す）。これにより、ワッシャー２２、ナット２４が溝１４内部で固定され、脚部１６も固定される。この場合に、ナット２４のネジ孔２８は円形であるためナット２４の右側への移動と共にボルト２０も右側に移動する。しかし、ワッシャー２２は長孔２６であり、取り付け孔１８も長孔２６と同様に長孔であるため、ボルト２０がナット２４と共に右側に移動してもワッシャー２２は左側に移動することが可能であり、また、脚部１６も右側及び左側にも移動せず、モータ支持台１２を同じ位置で固定できる。
【００２２】
（４）効果
本実施形態によれば、上記取り付け部材を用いれば断面コの字状の溝１４を有する検査定盤１０に、モータ支持台１２の脚部１６を簡単に取り付けることができる。
【００２３】
（５）変更例
上記実施形態では、六角孔付きボルト２０を用いたが、これ以外に六角ボルト、ドラバーで締め付け可能なネジを設けてもよい。なお、本明細書では、「ネジ」とは、ボルト及びドライバーで締め付け可能なネジの両方を含む。
【００２４】
また、上記実施形態では、ワッシャー２２及びナット２４の平面形状が正方形であったが、これに代えて長方形、六角形であってもよい。
【００２５】
上記実施形態では、検査定盤１０にモータ支持台１２を取り付ける構造で説明したが、これ以外に検査定盤１０に自動車の部品や他の部品や部材を取り付ける場合であっても本実施形態の取り付け構造を適用できる。
【００２６】
また、上記実施形態では検査定盤１０に断面コの字状の溝１４が設けられていたが、第１部材は他の装置でもよく、例えば、塗工装置やその他の機械装置の表面に断面コの字状の溝１４が設けられていれば、本実施形態の取り付け構造を適用できる。また、モータ支持台１２に取り付け孔１８が設けられていたが、第２部材は他の装置でもよく、例えば、塗工装置やその他の機械装置の部材に取り付け孔１８が設けられていれば、本実施形態の取り付け構造を適用できる。
【００２７】
また、上記実施形態では断面コの字状の溝１４における取り付け構造を示したが、ワッシャー２２及びナット２４が嵌め込まれるような凹部であってもよい。この場合でも相対向する面が平行で断面コの字状の状態であれば、本実施形態の取り付け構造を適用できる。
【００２８】
また、上記実施形態ではワッシャー２２の下面及びナット２４の上面の傾斜角が２０°で説明したが、これに限らず１５°〜４５°であればよく、好適には２０°〜３０°の傾斜を持つようなワッシャー２２及びナット２４を用いればよい。
【００２９】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００３０】
１０・・・検査定盤、１２・・・モータ支持台、１４・・・溝、１６・・・脚部、１８・・・取り付け孔、２０・・・ボルト、２２・・・ワッシャー、２４・・・ナット、２６・・・長孔、２８・・・ネジ孔
【図１】
0005951330.tif 000002
【図２】
0005951330.tif 000003
【図３】
0005951330.tif 000004
【図４】
0005951330.tif 000005